(57)【特許請求の範囲】
【請求項１】
ケース本体の外箱と内箱との間に画成した冷気循環ダクトを通じてケース本体の開口部に冷気エアカーテンを吹出し形成する冷気循環式オープンショーケースにおいて、ケース本体の開口部に向けて開口したエアカーテン吹出口に組み込んだハニカム整流体と吹出口のインサイド側壁面との間に風速の速いエアカーテン層を吹出すスリットを形成するとともに、エアカーテン吹出口のインサイド側に、スリットに沿ってエアカーテン吹出し方向に延長したエア吹出ガイドを設けたことを特徴とするオープンショーケース。
【発明の詳細な説明】
【０００１】
【産業上の利用分野】
本発明は、冷気循環式の多段形オープンショーケース、特にそのエアカーテン吹出口の構造に関する。
【０００２】
【従来の技術】
図２は二層エアカーテン方式の多段形オープンショーケースの従来構成図であり、前面開放形ケース本体１の外箱１ａと内箱１ｂとの間には内箱１ｂを取り囲んで内外二重のインナーダクト２，アウターダクト３（冷気循環ダクト）が画成されており、ケース本体１の前面開口部に向けて上部側にはエアカーテン吹出口２ａ，３ａが、下部側にはエアカーテン吸込口２ｂ，３ｂが開口している。また、インナーダクト２には冷却器（冷凍機のエバポレータ）４，およびインナーファン５が、またアウターダクト３にはアウターファン６が収設されており、さらにエアカーテン吹出口２ａ，３ａにはハニカム整流体７が組み込まれている。なお、８は商品陳列棚であって内箱２の庫内に上下段に並べて設置されている。
【０００３】
かかる構成になるオープンショーケースの保冷動作は周知であり、保冷運転時にはインナーダクト２，アウターダクト３に冷気が循環送風され、エアカーテン吹出口２ａ，３ａを通じてケース本体１の前面開口部に内外二層のインナーエアカーテンＡ，およびアウターエアカーテンＢを吹出し形成して庫内の商品陳列棚８に陳列した冷蔵，ないし冷凍商品を保冷する。
【０００４】
【発明が解決しようとする課題】
かかるオープンショーケースにおいては、庫内温度が低いことから、庫内と庫外の間には蒸気圧差に対応した圧力差が生じ、エアカーテンＡ，Ｂが庫内側へ引き込まれる方向に湾曲する。これ現象はドラフト効果と呼ばれる。この場合に、エアカーテンの気流が庫内側に大きく湾曲すると、商品陳列棚８の前縁と干渉してエアカーテンの層流が大きく乱され、これが原因で庫内への熱侵入量が大きくなって保冷性能が低下するほか、冷却器４の着霜量が増加するなどの好ましくない問題が生じる。
【０００５】
なお、ファン５，６の回転数を高めてハニカム整流体７から吹き出すエアカーテンＡ，Ｂの風速を上げれば、庫内／庫外間の圧力差から受ける影響も小さくなってエアカーテンＡ，Ｂの湾曲度合も少なくなるが、風速が高くなると逆に周囲外気との境界面を通じてエアカーテン気流へ混入する外気の巻き込み量が増えて冷却器４の熱負荷，着霜量が増大する。
【０００６】
本発明は上記の点にかんがみなされたものであり、その目的は前記課題を解決し、ケース本体の開口部にドラフト効果の影響が少なく熱遮へい性能の高い理想的な冷気エアカーテンを吹出し形成できるようにしたオープンショーケースを提供することにある。
【０００７】
【課題を解決するための手段】
上記目的を達成するために、本発明によれば、ケース本体の開口部に向けて開口したエアカーテン吹出口に組み込んだハニカム整流体と吹出口のインサイド側壁面との間に風速の速いエアカーテン層を吹出すスリットを形成し、エアカーテン吹出口のインサイド側には、スリットに沿ってエアカーテン吹出し方向に延長したエア吹出ガイドを設けるのがよい。
【０００８】
【作用】
上記の構成で保冷運転時に冷気循環ダクトを通じて冷気をファンにより循環送風すると、ハニカム整流体を組み込んだエアカーテン吹出口の上流側の静圧が高まり、冷気流の一部はインサイド側のスリットを、残りはハニカム整流体を通じてケース本体の開口部に吹出してエアカーテン層を形成する。この場合に、スリットはハニカム整流体に較べて通風抵抗が小さいことから、このスリットから吹き出すエアカーテン層はハニカム整流体から吹き出すエアカーテン層よりも風速よりも速い。したがって、エアカーテン吹出口から吹出し形成されるエアカーテンは、庫内に面するインサイド側で風速が速くその外側で風速が低まるような風速分布を呈する。これにより、エアカーテン全体で見れば、庫内／庫外間の圧力差に起因してエアカーテンが庫内側に引き込まれるように湾曲するドラフト効果の影響が少なく、それだけ商品陳列棚との干渉による層流の乱れが防げるとともに、ハニカム整流体を通じて吹き出すアウトサイド側では風速が低めながら層流をなしているので外気の巻き込みも少なく、その結果としてケース本体の開口部に外気熱侵入の少ないエアカーテンが吹出し形成されることになる。
【０００９】
また、エアカーテン吹出口のインサイド側に、スリットに沿ってエアカーテン吹出し方向に延長したエア吹出ガイドを設けることにより、スリット出口部での乱流発生を防いでより性能の高いエアカーテンを形成できる。
【００１０】
【実施例】
以下、本発明の実施例を図１（ａ），（ｂ）で説明する。なお、図１で図２に対応する同一部材には同じ符号を付してその説明を省略する。
図１の構成においては、インナーダクト２のエアカーテン吹出口２ａについて、そのインサイド側には吹出口の長手方向に亙ってハニカム整流体７の内側に小幅なスリット９が形成されており、さらに前記スリット９に沿って吹出口のインサイド側開口端にはエアカーテンの吹出し方向に延長したエア吹出ガイド１０を備えている。
【００１１】
かかる構成により、ショーケースの保冷運転時には、インナーダクト２，アウターダクト３よりエアカーテン吹出口２ａ，３ａを通じてケース本体１の前面開口部に内外二層のインナーエアカーテンＡ，およびアウターエアカーテンＢが吹出し形成され、このうちインナダクト２のエアカーテン吹出口２ａでは、冷気流の一部がスリット９を通じて速い風速で吹き出し、残りがハニカム整流体７を通過して吹き出す。これにより、エアカーテンＡ，Ｂの断面における風速分布は、図中に表すように庫内に近いインサイド側で風速が最も高く、アウトサイド側で風速が低まるような分布となる。また、スリット９から速い風速で吹き出す冷気流は、開口端部で乱流を生じることなしにエア吹出ガイド１０の板面に沿って層流状態を保ったままエアカーテン吸込口２ｂに向けて流れる。
【００１２】
これにより、インナーエアカーテンＡは庫内／庫外の圧力差に起因するドラフト効果の影響で庫内側に引き込まれる度合が少なくなり、かつ商品陳列棚８の前縁との干渉でエアカーテンの層流が乱されることも防止される。また、ハニカム整流体７を通じてエアカーテン吹出口２ａのアウトサイド側に吹き出すエアカーテンＡの層流，およびアウターダクト３のエアカーテン吹出口３ａを通じて吹き出すアウターエアカーテンＢは風速も低めで外気の巻き込み量も少なくなる。この結果、ケース本体１の前面開口部には、外気熱侵入が少なく熱遮へい効果の高いエアカーテンが吹き出し形成される。
【００１３】
なお、図示実施例は多段式オープンショーケースについて述べたが、かかるエアカーテン吹出口の構造を平型オープンショーケースに採用しても同様に外気熱侵入の少ないエアカーテンを形成できる。
【００１４】
【発明の効果】
以上述べたように、本発明の構成によれば、ケース本体の開口部に外気熱の侵入を効果的に抑制する理想的なエアカーテンを吹出し形成することができ、これによりショーケースの保冷性能向上に大きく寄与できる。
【図面の簡単な説明】
【図１】本発明実施例の構成図であり、（ａ）は多段形オープンショーケース全体の構成断面図、（ｂ）は（ａ）図におけるエアカーテン吹出口部分の拡大斜視図
【図２】従来における多段形オープンショーケース全体の構成断面図
【符号の説明】
１    ケース本体
１ａ  外箱
１ｂ  内箱
２    インナーダクト（冷気循環ダクト）
２ａ  エアカーテン吹出口
２ｂ  エアカーテン吸込口
３    アウターダクト
４    冷却器
５    インナーファン
６    アウターファン
７    ハニカム整流体
８    商品陳列棚
９    スリット
１０    エア吹出ガイド
【図１】
0003562869.tif 000002
【図２】
0003562869.tif 000003